(57)【特許請求の範囲】
【請求項１】
光ディスクの記録特性に応じて記録用レーザビームのレーザパワーを調整してデータの記録を行う光ディスク装置であって、
記録信号に基づきパルス波形の記録パワーで発光素子を駆動して記録用光ビームを出射させる発光駆動手段と、
前記光ディスクからの反射光量レベルを検出する反射光量検出手段と、
光ディスクの記録特性に応じた最適光パワーを設定する記録パワー設定動作時に、前記反射光量検出手段で検出した反射光量レベルをサンプリングし、サンプリングした値に基づいて基準光量レベルを設定する基準光量レベル設定手段と、
データ記録時に前記光ディスクからの反射光量レベルと前記基準光量レベルとの差分レベルを前記パルス波形の先頭部分の記録パワーを増強するパワードパワーとして前記記録パワーに重畳する重畳手段とを
有することを特徴とする光ディスク装置。
【請求項２】
請求項１記載の光ディスク装置において、
前記基準光量レベル設定手段は、前記記録パワー設定動作で設定された前記最適光パワーに対応する反射光量レベルを前記基準光量レベルとして設定することを特徴とする光ディスク装置。
【請求項３】
請求項１記載の光ディスク装置において、
前記記録パワー設定動作時に、テスト記録信号のパルス波形の先頭部分に前記記録パワーを増強する所定幅のパワードパワーを重畳することを特徴とする光ディスク装置。
【請求項４】
請求項１記載の光ディスク装置において、
前記重畳手段は、通常のデータ記録動作時にのみ前記差分レベルを前記記録パワーに重畳することを特徴とする光ディスク装置。
【請求項５】
請求項４記載の光ディスク装置において、
前記重畳手段により前記差分レベルを重畳された前記記録パワーを制限するパワー制限手段を
有することを特徴とする光ディスク装置。
【発明の詳細な説明】
【０００１】
【発明の属する技術分野】
本発明は光ディスク装置に関し、特に、ＣＤ−Ｒ等の追記型の光ディスクにデータ記録を行うことが可能な光ディスク装置に関する。
【０００２】
【従来の技術】
データ記録が可能な記録型の光ディスクには、ＣＤ−ＲやＤＶＤ−Ｒ等の追記型（ＷｒｉｔｅＯｎｃｅ）の光ディスクと、ＣＤ−ＲＷ等の書き換え可能型（Ｅｒａｓａｂｌｅ）の光ディスクとがある。
図６は従来のデータ記録を行うことが可能な光ディスク装置の一例のブロック図を示す。同図中、スピンドルモータ１０は光ディスク１２を所定の回転速度で回転駆動する。スレッドモータ１４は光ピックアップ１６をディスク半径方向に移動させる。光ピックアップ１６は光学系対物レンズ、アクチュエータ、1/4 波長板、コリメータレンズ、ビームスプリッタ、発光素子（レーザダイオード）、受光素子（光検出器）等から構成されている。
【０００３】
レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【０００４】
ウォブル信号処理部２４はＡＴＩＰ信号の復調処理を行う。なお、記録型の光ディスクにはガイド用のプリグルーブ（溝）が設けられている。ＣＤ−Ｒの場合、プリグルーブは中心周波数２２．０５ｋＨｚで極僅かにラジアル方向にウォブル（蛇行）しており、ＡＴＩＰ（Ａｂｓｏｌｕｔｅ  ＴｉｍｅＩｎ  Ｐｒｅｇｒｏｏｖｅ）と呼ばれる記録時のアドレス情報や、回転サーボ用の同期信号及び各種制御信号が、最大偏位±１ｋＨｚでＦＳＫ変調により多重されて記録されている。
【０００５】
ＲＦアンプ２６は再生信号を増幅するヘッドアンプである。このＲＦアンブ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【０００６】
ＣＤエンコード／デコード回路３４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路３６はＣＤエンコード／デコード回路３４から送られてくる記録データに対し、メディアの記録時の特性に合わせたデータ補正処理を行う。このときの補正量は記録層の特性、記録レーザビームのプロファイル、記録を行う線速度等により変化する。
【０００７】
ＣＤ−ＲＯＭエンコード/ デコード回路３８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラは４０はホストコンピュータとの間のデータの送受、及びデータバッファの制御を行う。ＲＡＭ３９，４１はデータ処理を行うためにデータを一時格納するための補助メモリである。
【０００８】
ＣＰＵ４２はメカ動作を含むＣＤ−Ｒドライブ全体の制御を司るマイクロコンピュータである。Ｄ／Ａコンバータ４６はＣＤエンコード／デコード回路３４から送出されるオーディオデータをアナログ信号に変換する。オーディオアンプ４８はアナログ変換されたオーディオ信号を増幅して出力する。
ＣＤ−Ｒ等の記録が可能な光ディスク装置では、データの記録の際に正確なピットを形成するために、下記のような工夫がなされている。
【０００９】
（１）記録パルス幅の設定。記録データは、ＥＦＭ変調されて３Ｔ〜１１Ｔ（Ｔは標準速度（１倍速）にて周波数４．３２ＭＨｚの１周期で約２３６ｍｓｅｃ）のパルス幅で記録されるが、記録パルス幅にあった正確なピット形成を行うために、ディスク毎に最適なストラテジ( 記録光パルス幅）を設定する。この情報は、ＣＤ−Ｒディスクに参照値として予め記録される。
【００１０】
（２）記録パワーの設定（ＯＰＣ）。ＯＰＣ（Ｏｐｔｉｍｕｍ  Ｐｏｗｅｒ  Ｃｏｎｔｒｏｌ）は、記録時のレーザビームのパワーを最適にするために考えられたもので、ディスクの中心部のＰＣＡ（Ｐｏｗｅｒ  ＣａｌｉｂｒａｔｉｏｎＡｒｅａ）において、レーザパワーを段階的に１５ステップ変化させてテスト信号を記録した後、その部分を再生してＲＦ信号のエンベロープのピーク（Ｐ）とボトム（Ｂ）の電圧を検出し、β＝（Ｐ＋Ｂ）／（Ｐ−Ｂ）で得た値βが所定値（例えば０．０４）に最も近い段階の記録パワーを最適記録パワーとして設定する。
【００１１】
（３）パワードの設定。ピットを形成する際、通常レーザビームの記録パワーは一定に保持されるが、レーザビームの照射直後はディスク上の温度が低く、照射時間の経過に伴い温度が上昇していくという変化が生じることから、涙滴型のピットが形成されピット形成が安定しない。そこで、レーザビーム照射開始から所定時間( 例えば１．５Ｔ）は記録パワーを通常よりも強くするパワード設定することによって、一定幅のビットを形成するようにする。
【００１２】
（４）ランニングＯＰＣ記録時におけるディスクからの反射光量( 戻り光量に基づいて、記録パワーが最適となるように常時記録パワーを補正する。
【００１３】
【発明が解決しようとする課題】
現在の光ディスク装置においては、上記パワードの幅は一定の値に固定されている。図７は従来のピット形成の概念図を示す。ピットが形成されない区間であるパルス間は、レーザビームの記録パワーはオフ状態になる。パルス間隔が適正な間隔に維持されている場合は、レーザビームの記録パワー、ピット未形成区間でのディスク表面の冷却時間、及びパワード幅のバランスが取れて、図中、ＰＴ１で示すように最適なピットが形成される。
【００１４】
しかし、記録するパルス列の各パルス間隔は一定ではなく、パルス間隔が短いときもあれば長いときもある。故に、パワード幅を固定にすると、記録パルスＲＰ１と記録パルスＲＰ２のようにパルス間隔ｔ３〜ｔ４が短い場合、ｔ３時点で記録パワーがオフになった後、ディスク表面が冷却されないうちに、ｔ４時点で再びレーザビームの記録パワーがオンとなってピットの形成を始めるので、ディスク上のピット形成部分の温度が通常よりも速く上昇し、ピットが形成され始めるまでの時間が短くなる。しかし、パワード幅ＷＰが固定のため適切な大きさのピットが形成されても、ｔ５時点まではパワードがオフにならないことから、形成されるピットＰＴ２は、ピットＰＴ１に比べて幅が広く深いものになり、反射光量も少なくなる。
【００１５】
記録パルスＲＰ２と記録パルスＲＰ３のようにパルス間隔ｔ６〜ｔ７が長い場合、ｔ６時点で記録パワーがオフになってからｔ７時点で再ぴレーザビームの記録パワーがオンになるまでの間に、ディスク表面が完全に冷却されてしまうことから、ディスク上のピット形成部分の温度が直ぐに上昇せず、ピット形成時間が長くなる。しかし、パワード幅ＷＰが固定のため、ｔ８時点でピットが完全に形成されないうちにパワードがオフとなってしまうことから、形成されるピットＰＴ３は、形成ピットＰＴ１に比べて幅が狭く浅いものになり、反射光量も多くなる。故に、各パルス間隔が一定でないパルス列データを記録する場合、パワード幅が固定のままであると、形成されるピットの大きさがパルス間隔によって変化してしまい、安定したピット形成が出来ないという問題があった。
【００１６】
本発明は、上記の点に鑑みなされたもので、記録パルス幅及びパルス間隔によらず、一定の大きさのピットを形成することができ、また、光ディスクの感度ムラを補償することができる光ディスク装置を提供することを目的とする。
【００１７】
【課題を解決するための手段】
請求項１に記載の発明は、光ディスクの記録特性に応じて記録用レーザビームのレーザパワーを調整してデータの記録を行う光ディスク装置であって、
記録信号に基づきパルス波形の記録パワーで発光素子を駆動して記録用光ビームを出射させる発光駆動手段と、
前記光ディスクからの反射光量レベルを検出する反射光量検出手段と、
光ディスクの記録特性に応じた最適光パワーを設定する記録パワー設定動作時に、前記反射光量検出手段で検出した反射光量レベルをサンプリングし、サンプリングした値に基づいて基準光量レベルを設定する基準光量レベル設定手段と、
データ記録時に前記光ディスクからの反射光量レベルと前記基準光量レベルとの差分レベルを前記パルス波形の先頭部分の記録パワーを増強するパワードパワーとして前記記録パワーに重畳する重畳手段とを有する。
【００１８】
このため、差分レベルを擬似パワードとして利用し、記録パルス幅及びパルス間隔によらず、一定の大きさのピットを形成することができ、光ディスクの感度ムラを補償することができる。
【００１９】
請求項２に記載の発明は、請求項１記載の光ディスク装置において、
前記基準光量レベル設定手段は、前記記録パワー設定動作で設定された前記最適光パワーに対応する反射光量レベルを前記基準光量レベルとして設定する。
【００２０】
このため、光ディスクの記録特性に応じた反射光量レベル設定することができる。
請求項３に記載の発明は、請求項１記載の光ディスク装置において、
前記記録パワー設定動作時に、テスト記録信号のパルス波形の先頭部分に前記記録パワーを増強する所定幅のパワードパワーを重畳する。
【００２１】
このため、ＯＰＣ実行時と通常記録動作時とで、反射光量のパワード成分に差がなくなり、最適記録パワーがずれるおそれがなくなる。
請求項４に記載の発明は、請求項１記載の光ディスク装置において、
前記重畳手段は、通常のデータ記録動作時にのみ前記差分レベルを前記記録パワーに重畳する。
【００２２】
請求項５に記載の発明は、請求項４記載の光ディスク装置において、
前記重畳手段により前記差分レベルを重畳された前記記録パワーを制限するパワー制限手段を有する。
このため、差分レベルを重畳された記録パワーが過大となることを防止できる。
【００２３】
【発明の実施の形態】
図１は、本発明の光ディスク装置の一実施例のブロック図を示す。同図中、図１０と同一部分には同一符合を付す。図１において、スピンドルモータ１０は光ディスク１２を所定の回転速度で回転駆動する。スレッドモータ１４は光ピックアップ１６をディスク半径方向に移動させる。光ピックアップ１６は光学系対物レンズ、アクチュエータ、1/4 波長板、コリメータレンズ、ビームスプリッタ、発光素子（レーザダイオード）、受光素子（光検出器）等から構成されている。
【００２４】
レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【００２５】
パワード制御回路５０は、光ディスク１２からの反射光量（戻り光量）レベルと基準レベルとの差をとり、差分レベルを擬似パワードパワー賭して記録用レーザパワーの記録パワーに重畳するか、または、後述するＯＰＣ実行後においてダミーパワードパワーを発生するよう制御を行う。
ウォブル信号処理部２４はＡＴＩＰ信号の復調処理を行う。なお、記録型の光ディスクにはガイド用のプリグルーブ（溝）が設けられている。ＣＤ−Ｒの場合、プリグルーブは中心周波数２２．０５ｋＨｚで極僅かにラジアル方向にウォブル（蛇行）しており、ＡＴＩＰ（Ａｂｓｏｌｕｔｅ  ＴｉｍｅＩｎ  Ｐｒｅｇｒｏｏｖｅ）と呼ばれる記録時のアドレス情報や、回転サーボ用の同期信号及び各種制御信号が、最大偏位±１ｋＨｚでＦＳＫ変調により多重されて記録されている。
【００２６】
ＲＦアンプ２６は再生信号を増幅するヘッドアンプである。このＲＦアンブ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【００２７】
ＣＤエンコード／デコード回路３４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路３６はＣＤエンコード／デコード回路３４から送られてくる記録データに対し、メディアの記録時の特性に合わせたデータ補正処理を行う。このときの補正量は記録層の特性、記録レーザビームのプロファイル、記録を行う線速度等により変化する。
【００２８】
ＣＤ−ＲＯＭエンコード/ デコード回路３８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラは４０はホストコンピュータとの間のデータの送受、及びデータバッファの制御を行う。ＲＡＭ３９，４１はデータ処理を行うためにデータを一時格納するための補助メモリである。
【００２９】
ＣＰＵ４２はメカ動作を含むＣＤ−Ｒドライブ全体の制御を司るマイクロコンピュータである。Ｄ／Ａコンバータ４６はＣＤエンコード／デコード回路３４から送出されるオーディオデータをアナログ信号に変換する。オーディオアンプ４８はアナログ変換されたオーディオ信号を増幅して出力する。
図２はパワード制御回路５０及びその周辺回路の一実施例のブロック図を示す。同図中、レーザドライバ１８にはＡＬＰＣから記録パワー、パワードパワー、再生パワーが供給され、それぞれレーザドライバ１８を構成するスイッチ１８１，１８２，１８３に供給される。スイッチ１８１，１８２，１８３それぞれはＣＰＵ４２から供給される制御信号でオン／オフ制御され、各スイッチの出力するパワーは加算器１８４に供給されて加算される。加算器１８４出力は光ピックアップ１６内のレーザダイオード１６ａに供給され、レーザダイオード１６ａはレーザドライバ１８から供給されるパワー信号のレベルに応じた光強度のレーザ光を出射する。
【００３０】
ＡＬＰＣ２２はフロントモニタ２０の出力に基づいてレーザビームパワーが最適となるように記録パワー、パワードパワー、再生パワー（再生時パワー＜記録時パワー＜パワード時パワー）それぞれを調整してレーザドライバ１８に供給する。なお、ＡＬＰＣ２２の記録パワーの供給ラインには、ツェナーダイオードＤＺが設けられており、後述するスイッチ５０４のオン時に、擬似パワードパワーが重畳された記録パワーを制限するように構成されている。なお、ツェナーダイオードによる制限は、必ずしも必要なものではない。
【００３１】
なお、本発明における記録時の擬似パワードパワーは、スイッチ５０４を制御することにより、直接、記録パワーに重畳されるので、ＡＬＰＣ２２の出力するパワードパワー供給ラインは、通常の記録動作においてはゼロパワーとなっている。パワードパワー供給ラインは、後述するＯＰＣ実行時においてダミーパワードを重畳するときにのみオンになる。
【００３２】
パワード制御回路５０を構成するＡ／Ｄ変換器５０１は、光ピックアップ１６の受光素子からの反射光量レベルを供給され、ディジタル化してＣＰＵ４２に供給する。Ｄ／Ａ変換器５０２はＣＰＵ４２の出力する基準光量レベルをアナログ化する。差動増幅器５００は反射光量レベルと基準光量レベルとの差分レベルを求め、擬似パワードパワーとしてスイッチ５０４に供給する。
【００３３】
ＣＰＵ４２はレーザドライバ１８のスイッチ１８１，１８２，１８３それぞれに対し制御信号を供給して、オン／オフ制御すると共に、ＡＬＰＣ２２の制御を行う。また、スイッチ５０４を再生時及びＯＰＣ実行時にはオフとし、記録時にはオンとするように制御する。また、ＯＰＣ実行時には、光ディスクからＡ／Ｄ変換器５０１を介して反射光量データを取り込んでサンプリングし、サンプルデータを基に基準光量レベルを設定する。
【００３４】
ＣＰＵ４２は、通常の記録動作時には図３（Ｂ）に破線で示す基準光量レベルをＤ／Ａ変換器５０２を介して差動増幅器５００に供給する。また、記録データに応じてＡＬＰＣ２２の出力する記録パルスが図３（Ａ）に示すようになると、これに対して図３（Ｂ）に実線で示す反射光量レベルが得られ、差動増幅器５００に供給される。
【００３５】
差動増幅器５００は、図３（Ｂ）に示す反射光量レベルと破線で示す基準光量レベルとの差分レベル（実線の破線より上の部分）を出力する。スイッチ５０４がオンのために、差分レベルが擬似パワードパワーとして記録パワーに重畳され、レーザダイオード１６ａには図３（Ｃ）に示す波形の合成記録パワーが供給される。
【００３６】
パルス間隔が適正な間隔に維持されている場合は、レーザビームの記録パワー、ピット未形成区間でのディスク表面の冷却時間のバランスが取れて、図３（Ｄ）にＰＴ１１で示すように最適なピットが形成される。
図３（Ａ）に示す記録パルスＲＰ１１と記録パルスＲＰ１２のようにパルス間隔が短い場合、ディスク表面が冷却されないうちに、再びレーザビームの記録パワーがオンとなってピットの形成を始めるので、ディスク上のピット形成部分の温度が通常よりも速く上昇し、ピットが形成され始めるまでの時間が短くなる。そのため、反射光量レベルは短時間で基準光量レベルより低くなり、擬似パワードパワーが小さくなることから形成されるピットＰＴ１２は、ピットＰＴ１１と略同一幅となる。
【００３７】
記録パルスＲＰ１２と記録パルスＲＰ１３のようにパルス間隔が長い場合、記録パワーがオフになってから再びレーザビームの記録パワーがオンになるまでの間に、ディスク表面が完全に冷却されてしまうことから、ディスク上のピット形成部分の温度が直ぐに上昇せず、ピット形成時間が長くなる。そのため、反射光量レベルは長時間で基準光量レベルより高くなり、擬似パワードパワーが大きくなることから形成されるピットＰＴ１３は、ピットＰＴ１１と略同一幅となる。
本発明では、ＯＰＣ（Ｏｐｔｉｍｕｍ  Ｐｏｗｅｒ  Ｃｏｎｔｒｏｌ）動作時にディスクからの反射光量レベルをサンプリングし、サンプル値を元に基準光量レベルを設定する。図４は本発明におけるＣＰＵ４２が実行するＯＰＣ動作のフローチャートを示す。
【００３８】
同図中、ＯＰＣ実行命令が送出されると、ステップＳ１０でスイッチ５０４をオフとする。続いてステップＳ１２で段階変数ｎを１に設定し、ステップＳ１４で記録パワーＬＰ（ｎ）を設定する。記録パワーＬＰ（ｎ）はｎが大なるほど大きくなる値である。続いてステップＳ１６にてテスト信号を記録パワーＬＰ（ｎ）で記録する。このとき、記録パルスの先頭部分に、図７に示すように所定幅ＷＰのダミーパワードを重畳する。
【００３９】
テスト信号の記録中は、ステップＳ１８で光ディスクからの反射光量レベルを監視し、記録が終了する時点の所定位置の反射光量レベルＶｎをサンプリングしてＣＰＵ４２内蔵のメモリに記憶する。反射光量レベルＶｎのサンプリング位置は、図５に示すように、記録ピットが十分に形成される記録ピット終端位置Ｖｅとするのが理想的であるが、この位置ではサンプリング時間がほとんどゼロに近いため安定したサンプリングができない恐れがあるため、記録ピット終端から０．５Ｔほど先行する位置Ｖｐに設定する。
【００４０】
その後、ステップＳ２０で段階変数ｎが１５であるか否かを判定し、ｎ＝１５でない場合は、ステップＳ２２で段階変数ｎを１だけインクリメントしてステップＳ１４に進み、ステップＳ１４〜Ｓ２２を繰り返す。１５ステップの記録パワーによるテスト信号の記録が終了すると、ステップＳ２０からステップＳ２４に進み、記録したテスト信号を再生する。そして、ステップＳ２６で各記録パワー毎のＲＦ信号のエンベロープのピーク値（Ｐ）とボトム値（Ｂ）をサンプリングする。次に、ステップＳ２８で次式により値βを算出する。
【００４１】
β＝（Ｐ＋Ｂ）／（Ｐ−Ｂ）
ステップＳ３０では、このβ値が所定の値( 推奨値としては０．０４程度）を越えたと判断された段階の記録パワーを、装着した光ディスクの最適記録パワーとして設定する。そして、ステップＳ３２でサンプリングした各記録パワーの反射光量レベルＶｎ（ｎ＝１〜１５）の中で、最適記録パワーとして設定された記録パワーの反射光量レベルＶＢｎを基準光量レベルとして設定する。これによって、ＯＰＣが終了すると、ステップＳ３４でスイッチ５０４をオンとしてこの処理を終了する。
【００４２】
なお、反射光量レベルＶｎのサンプリングは、反射光量レベルが直前のランド部の長さ（３Ｔ〜１１Ｔ）によりばらつきが生じるため、特定の長さの範囲のランド部の後でのみ行う方が動作を安定させることができる。
本発明においては、基準光量レベルとディスクからの反射光量レベルとの差分レベルを、パワードレベルとして記録用レーザパワーフィードハックすることによって、パワードのパワーと幅を制御するので、記録パルス幅／スペース幅（パルス間隔）によらず、一定の大きさのピットを形成することができ、ディスクの感度ムラも補償することができる。
【００４３】
上記実施例でＯＰＣ実行時に、ダミーパワードを記録パワーに重畳することにより、ＯＰＣ実行時と通常記録動作時とにおけるパワード成分に大きな差が生じないようにしている。これは、ＯＰＣ実行時と通常記録動作時とで、反射光量のパワード成分に差があると、ＯＰＣで求めた最適記録パワーがずれる可能性があるためである。
【００４４】
なお、レーザドライバ１８が請求項記載の発光駆動手段に対応し、光ピックアップ１６が反射光量検出手段に対応し、パワード制御回路５０が重畳手段に対応し、ステップＳ３２が反射光量検出手段に対応し、ツェナーダイオードＤＺがパワー制限手段に対応する。
【００４５】
【発明の効果】
上述の如く、請求項１に記載の発明によれば、差分レベルを擬似パワードとして利用し、記録パルス幅及びパルス間隔によらず、一定の大きさのピットを形成することができ、光ディスクの感度ムラを補償することができる。
【００４７】
請求項２に記載の発明によれば、光ディスクの記録特性に応じた反射光量レベル設定することができる。
【００４８】
請求項３に記載の発明によれば、ＯＰＣ実行時と通常記録動作時とで、反射光量のパワード成分に差がなくなり、最適記録パワーがずれるおそれがなくなる。
請求項４，５に記載の発明によれば、差分レベルを重畳された記録パワーが過大となることを防止できる。
【図面の簡単な説明】
【図１】本発明の光ディスク装置の一実施例のブロック図である。
【図２】パワード制御回路５０及びその周辺回路の一実施例のブロック図である。
【図３】本発明を説明するための信号波形図である。
【図４】本発明におけるＣＰＵ４２が実行するＯＰＣ動作のフローチャートである。
【図５】本発明における反射光量レベルＶｎのサンプリング位置を説明するための図である。
【図６】従来の光ディスク装置の一例のブロック図である。
【図７】従来のピット形成の概念図である。
【符号の説明】
１０  スピンドルモータ
１２  光ディスク
１４  スレッドモータ
１６  光ピックアップ
１８  レーザドライバ
２０  フロントモニタ
２２  ＡＬＰＣ
２４  ウォブル信号処理部
２６  ＲＦアンプ
２８  フォーカス／トラッキングサーボ回路
３０  送りサーボ回路
３２  スピンドルサーボ回路
３４  ＣＤエンコード／デコード回路
３６  記録補償回路
３８  ＣＤエンコード／デコード回路
４０  インタフェース／バッファコントローラ
５０  パワード制御回路
４２  ＣＰＵ
４６  Ｄ／Ａコンバータ
４８  オーディオアンプ
５０  パワード制御回路
５００  差動増幅器
５０１  Ａ／Ｄ変換器
５０２  Ｄ／Ａ変換器
５０４  スイッチ
【図１】
0003692854.tif 000002
【図２】
0003692854.tif 000003
【図３】
0003692854.tif 000004
【図４】
0003692854.tif 000005
【図５】
0003692854.tif 000006
【図６】
0003692854.tif 000007
【図７】
0003692854.tif 000008